【手続補正書】
【提出日】平成19年9月21日(2007.9.21)
【手続補正１】
【補正対象書類名】特許請求の範囲
【補正対象項目名】全文
【補正方法】変更
【補正の内容】
【特許請求の範囲】
【請求項１】
伝導的に加熱できる融成物（３０）特にガラス融成物用のユニット、具体的には融解及び／または精製ユニット及び／または分配器系及び／または流路系であって、タンクと、タンクの壁部（１０）の開口を通過して伝導加熱融成物（３０）中に浸漬される少なくとも１つの電極（２０）とを有したユニットにおいて、ユニットは壁部（１０）の少なくとも１つの領域−電極（２０）に隣接する−への加熱力の局部的導入を削減する装置を有し、この装置が、融成物（３０）の領域−電極（２０）に隣接する−に設置される少なくとも１つの遮蔽装置（１５、２５）を含み、かつ遮蔽かご（２２）を具備することを特徴とするユニット。
【請求項２】
請求項１に記載のユニットにおいて、遮蔽装置（１５）は壁部（１０）の領域−電極（２０）に隣接する−に設置されることを特徴とするユニット。
【請求項３】
前記各請求項のいずれか１項に記載のユニットにおいて、遮蔽かご（２２）は電極を通すことのできる開口（２６）を有し、開口（２６）を通る垂線は遮蔽かごの軸線を規定することを特徴とするユニット。
【請求項４】
前記各請求項のいずれか１項に記載のユニットにおいて、遮蔽かご（２２）の開口（２６）は遮蔽かご（２２）の上方の境界（２４）に構成されることを特徴とするユニット。
【請求項５】
前記各請求項のいずれか１項に記載のユニットにおいて、遮蔽かご（２２）は電極（２０）に対して軸方向に設置されることを特徴とするユニット。
【請求項６】
前記各請求項のいずれか１項に記載のユニットにおいて、遮蔽かご（２２）は回転対称の形状をなすことを特徴とするユニット。
【請求項７】
前記各請求項のいずれか１項に記載のユニットにおいて、遮蔽かご（２２）の上方境界（２４）は一体形成されることを特徴とするユニット。
【請求項８】
前記各請求項のいずれか１項に記載のユニットにおいて、遮蔽かご（２２）は要素（２９）により結合され得る２つのリム（２７、２８）を有し、少なくとも１つのリムが上方の境界（２４）を形成することを特徴とするユニット。
【請求項９】
前記各請求項のいずれか１項に記載のユニットにおいて、要素（２９）の長手方向の軸は壁部（１０）の領域−電極（２０）と隣接する−の、融成物（３０）に面した表面（１８）との角度Ｗを持つことを特徴とするユニット。
【請求項１０】
請求項９に記載のユニットにおいて、角度Ｗは０°＜Ｗ≦９０°の範囲の値を持つことを特徴とするユニット。
【請求項１１】
請求項１０に記載のユニットにおいて、角度Ｗは３０°≦Ｗ≦６０°の範囲の値を持つことを特徴とするユニット。
【請求項１２】
前記各請求項のいずれか１項に記載のユニットにおいて、遮蔽かご（２２）は電極（２０）に固定され得ることを特徴とするユニット。
【請求項１３】
前記各請求項のいずれか１項に記載のユニットにおいて、遮蔽かご（２２）は壁部（１０）に固定され得ることを特徴とするユニット。
【請求項１４】
前記各請求項のいずれか１項に記載のユニットにおいて、遮蔽かご（２２）はＭｏ及び／またはＷ及び／またはＳｎＯ２及び／または少なくとも１つの貴金属及び／または上述の材料の少なくとも１つの合金及び／または耐高温鋼を含むことを特徴とするユニット。
【請求項１５】
前記各請求項のいずれか１項に記載のユニットにおいて、融成物に浸漬された電極本体の長さＬＥＫの、遮蔽かご（２２）の高さＨＫに対する比率は１≦ＬＥＫ／ＨＫ≦２０の範囲の値を持つことを特徴とするユニット。
【請求項１６】
前記各請求項のいずれか１項に記載のユニットにおいて、融成物に浸漬された電極本体の長さＬＥＫの、遮蔽かご（２２）の高さＨＫに対する比率は２≦ＬＥＫ／ＨＫ≦５の範囲の値を持つことを特徴とするユニット。
【請求項１７】
前記各請求項のいずれか１項に記載のユニットにおいて、遮蔽かご（２２）の外側の半径ＲＫの、電極本体の半径ＲＥＬに対する比率は２≦ＲＫ／ＲＥＬ≦１５の範囲の値を持つことを特徴とするユニット。
【請求項１８】
前記各請求項のいずれか１項に記載のユニットにおいて、遮蔽かご（２２）の外側の半径ＲＫの、電極本体の半径ＲＥＬに対する比率は３≦ＲＫ／ＲＥＬ≦７の範囲の値を持つことを特徴とするユニット。
【請求項１９】
前記各請求項のいずれか１項に記載のユニットにおいて、２つの電極間の距離ＤＨＫの、遮蔽かご（２２）の外側の半径ＲＫに対する比率は３≦ＤＨＫ／ＲＫ≦５００の範囲の値を持つことを特徴とするユニット。
【請求項２０】
前記各請求項のいずれか１項に記載のユニットにおいて、２つの電極間の距離ＤＨＫの、遮蔽かご（２２）の外側の半径ＲＫに対する比率は２０≦ＤＨＫ／ＲＫ≦８０の範囲の値を持つことを特徴とするユニット。
【請求項２１】
前記各請求項のいずれか１項に記載のユニットにおいて、遮蔽かご（２２）の上方のリムの幅ｌｋは、０≦ｌｋ≦ＲＫの範囲にあることを特徴とするユニット。
【請求項２２】
前記各請求項のいずれか１項に記載のユニットにおいて、遮蔽かご（２２）の上方のリムの幅ｌｋは、０≦ｌｋ≦１／３・ＲＫの範囲にあることを特徴とするユニット。
【請求項２３】
前記各請求項のいずれか１項に記載のユニットにおいて、電極本体と、遮蔽かご（２２）の開口（２６）の内側の境界との隙間の幅ａは、０≦ａ≦５０ｍｍの範囲にあることを特徴とするユニット。
【請求項２４】
前記各請求項のいずれか１項に記載のユニットにおいて、電極本体と、遮蔽かご（２２）の開口（２６）の内側の境界との隙間の幅ａは、０≦ａ≦３０ｍｍの範囲にあることを特徴とするユニット。
【請求項２５】
前記各請求項のいずれか１項に記載のユニットにおいて、遮蔽かご（２２）の成分の材料の厚さｄｋは、５ｍｍ≦ｄｋ≦５０ｍｍの範囲にあることを特徴とするユニット。
【請求項２６】
前記各請求項のいずれか１項に記載のユニットにおいて、電極本体と、壁部（１０）の開口の内側の境界との隙間の幅ｂｓｐは１ｍｍ≦ｂｓｐ≦３０ｍｍの範囲にあることを特徴とするユニット。
【請求項２７】
前記各請求項のいずれか１項に記載のユニットにおいて、電極本体と、壁部（１０）の開口の内側の境界との隙間の幅ｂｓｐは、２ｍｍ≦ｂｓｐ≦５ｍｍの範囲にあることを特徴とするユニット。
【請求項２８】
前記各請求項のいずれか１項に記載のユニットにおいて、融成物（３０）と接触する壁部（１０）の材料の厚さＤＦＦは、５０ｍｍ≦ＤＦＦ≦５００ｍｍの範囲にあることを特徴とするユニット。
【請求項２９】
前記各請求項のいずれか１項に記載のユニットにおいて、融成物（３０）と接触する壁部（１０）の材料の厚さＤＦＦは、１００ｍｍ≦ＤＦＦ≦３００ｍｍの範囲にあることを特徴とするユニット。
【請求項３０】
伝導的に加熱できる融成物（３０）特にガラス融成物用のユニットの作動中に、前記各請求項のいずれか１項に記載した、壁部（１０）の少なくとも１つの領域−電極（２０）に隣接する−への加熱力の局部的導入を削減する装置の使用法。
【手続補正２】
【補正対象書類名】明細書
【補正対象項目名】００７８
【補正方法】削除
【補正の内容】
【手続補正３】
【補正対象書類名】明細書
【補正対象項目名】０１３３
【補正方法】削除
【補正の内容】
【手続補正４】
【補正対象書類名】明細書
【補正対象項目名】０１３４
【補正方法】削除
【補正の内容】
【手続補正５】
【補正対象書類名】明細書
【補正対象項目名】０１３５
【補正方法】削除
【補正の内容】
【手続補正６】
【補正対象書類名】明細書
【補正対象項目名】０１３６
【補正方法】削除
【補正の内容】
【手続補正７】
【補正対象書類名】明細書
【補正対象項目名】０１３７
【補正方法】削除
【補正の内容】
【手続補正８】
【補正対象書類名】明細書
【補正対象項目名】０１３８
【補正方法】削除
【補正の内容】
【手続補正９】
【補正対象書類名】明細書
【補正対象項目名】０１４０
【補正方法】変更
【補正の内容】
【０１４０】
図８は、２つの隣接する電極２０用の遮蔽装置２５の、本発明による構成の関連幾何学的変数を示している。電極２０とかご２２の内側縁部との上述の距離ａはこの図解に示してある。一方、距離ａが短く選択されるほどこの転移領域での電流密度は高くなる。
【手続補正１０】
【補正対象書類名】明細書
【補正対象項目名】０１４４
【補正方法】変更
【補正の内容】
【０１４４】
【図１】電極を具えた融解及び／または精製ユニットの壁部の抜粋を線図式に示した図である。
【図２】融成物に面した融解及び／または精製ユニットの壁部表面での、電極周辺の電力密度の分布を示した図である。
【図３】融成物に面した融解及び／または精製ユニットの壁部側の表面から５ｃｍ測定した深さでの、電極周辺の電力密度の分布を示した図である。
【図４】電極れんがの長手方向の断面を線図式に示した図である。
【図５】本発明による遮蔽装置の第１の実施形態の長手方向断面を線図式に示した図である。
【図６】本発明による遮蔽装置の第２の実施形態の、長手方向の断面と平面とを線図式に示した図である。
【図７】本発明の遮蔽装置のさらなる実施形態の、長手方向の断面と平面とを線図式に示した図である。
【図８】本発明の遮蔽装置の幾何学的寸法を線図式に示した図である。
【手続補正１１】
【補正対象書類名】図面
【補正対象項目名】図８
【補正方法】変更
【補正の内容】
【図８】
2007507409.tif 000001
【手続補正１２】
【補正対象書類名】図面
【補正対象項目名】図９
【補正方法】削除
【補正の内容】